(57)【要約】【課題】レーザープリンター、より好ましくはインクジェットプリンターを用いて情報を付与することができる情報担体を提供する。【解決手段】磁性作用を利用して壁への取り付けを可能とする金属粒子が内部に分散されているプラスチック物質を含むプラスチック箔であって、恒久的な接着剤層を介して該箔に貼り付けられているところの紙の層を付与されている、プラスチック箔。【特許請求の範囲】
【請求項１】
磁性作用を利用して壁への取り付けを可能とする金属粒子が内部に分散されているプラスチック物質を含むプラスチック箔であって、恒久的な接着剤層を介して該箔に貼り付けられているところの紙の層を付与されている、プラスチック箔。
【請求項２】
プラスチック物質が、PVC又はポリエステルを含む、請求項１に従うプラスチック箔。
【請求項３】
金属粒子が鉄粒子である、請求項１または２に従うプラスチック箔。
【請求項４】
0.5mm未満の厚さを有する、請求項１〜３のいずれか１項に従うプラスチック箔。
【請求項５】
請求項１〜４のいずれか１項に従うプラスチック箔上に、レーザープリンター又はインクジェットプリンターを用いて印刷することを含む、情報担体上に情報を付与する方法。
【請求項６】
インクジェットプリンターが使用される、請求項５に従う方法。
【請求項７】
情報を付与した後に、印刷された面に透明な保護層が付与される、請求項５又は６に従う方法。
【請求項８】
磁性ボード及び請求項１〜４のいずれか１項に従う、情報が付与されたプラスチック箔を含む、交換可能な情報システム。
【発明の詳細な説明】
【技術分野】
【０００１】
本発明は情報担体に関し、該情報担体は、磁性作用を介して、例えば磁性壁に取り付けることができる。より特には、本発明は印刷可能な情報担体、該担体上に情報を付与する方法及び該情報を他の情報により、容易に交換することができるシステムに関する。
【背景技術】
【０００２】
磁性作用により吊り下げることが可能な情報担体、表示領域(field)もしくは表示パネルは公知である。例えばフランス国特許明細書第2782828号は、相対する側に層を有する金属層を含む表示パネルを記載する。一の側には背面層が付与され、該層は金属層の剛性を高める。他の側には、文書が取り付けられる。背面及び文書の金属層への取り付けは、両面接着層を用いて圧力を加えて行われる。さらに、磁性細片（strip)に取り付けられた部品であって、文書の上を可動的にスライドすることができる部品が記載されている。
【０００３】
米国特許明細書第3,965,599号公報から、例えば印刷された芸術作品、又は実質的に２次元の物を、迅速に置き換えることができる表示システムが知られている。この目的のために、該２次元物の背面に恒久的金属プレートもしくは金属箔要素が付与され、これにより磁石を備えた背面への付着が可能となる。
【０００４】
ドイツ国出願公開公報第39 17 295号には、両面接着テープを介して、磁性箔細片の背面に結合されている表示領域、例えば写真、が記載されている。該磁性箔細片は、金属表面上への取り付けを可能とする。このシステムの、一つの大きい磁性プレート上に表示領域が取り付けられる他のシステムに比べた利点は、磁性箔細片により該表示領域を巻くことが可能となり、その結果、該表示領域を輸送することが実際上可能となることである。
【０００５】
さらに、例えば地図等の情報を、金属粒子、特に鉄粒子、を含有するプラスチック箔上に印刷することが知られ、該金属粒子が磁性壁への取り付けを可能とする。該プラスチック箔は、例えば鉄粒子を内部に含有するPVC又はポリエステルからなり、その最上層に印刷可能な層が付与されている。この最上層は、典型的にはプラスチック箔と同じ物質からなるが、顔料粒子を含み、対照的な背景(contrasting background)を与える。このようなプラスチック箔は、例えばF.I.S. B.V.（Ferro Informatie Systemen B.V.）、Oss、オランダ国、から市販されており、輸送するのに顕著に適する；事実、情報担体を単に巻いて、筒状容器に入れて輸送することができる。
【０００６】
情報、例えば一般に地図又は絵画は、プラスチック箔の最上層上に印刷される。このため、原則として実際上、シルクスクリーン印刷法のみが適する。しかし、シルクスクリーン印刷法には、いくつかの欠点がある。商業上、シルクスクリーン印刷は、大量の情報がある場合にのみ利益がある。このことは、一つにはシルクスクリーン印刷では、異なる色は異なる工程で施与しなければならないという事実と関連する。プラスチック箔は、シルクスクリーン印刷において発生するような条件下では、僅かに延び及びたわむので、異なるインクが正しい位置に確実に印刷されるようにする手立てが必要であり、これには高度な技術が要求される。最後に、シルクスクリーン印刷は、一般に特定の印刷会社に拠らなければならず、待ち時間がある結果、新たな情報プレートの供給に際しての自由度が充分ではない。
【発明の開示】
【発明が解決しようとする課題】
【０００７】
容易な方法で情報を付与することができる、情報担体が要求されている。特に、情報担体が、現在広く使用されているレーザープリンター、より好ましくはインクジェットプリンターを用いて情報を付与することができれば非常に好ましく、該情報担体は、原則として即使用可能なものである。そのために、上述のプラスチック箔系から出発する。
【０００８】
シルクスクリーン印刷用途に適する市販のPVC及びポリエステル箔は、レーザー及びインクジェットプリンターにより印刷することができない。最上層は、（一般に）白いPVCであり、これは上述のプリンターによって充分良好な質で印刷するには、あまりにも多孔質である。一方、ポリエステル箔は、質の良い製品を作るには最上層があまりに平滑である。
【課題を解決するための手段】
【０００９】
本発明に従い、上記要求は、金属粒子を含む箔上に紙の層を施与することによって満たすことができることが見出され、該紙の層は恒久的な接着剤により箔に貼り合わされる。従って、本発明は、磁性作用により壁に付けることを可能とする金属粒子が内部に分散されているところのプラスチック物質からなる少なくとも１層を含むプラスチック箔であって、恒久的な接着剤を介して該箔に貼り付けられた紙の層を付与されたプラスチック箔に関する。
【００１０】
本発明の第２のものは、本発明に従うプラスチック箔上にレーザー又はインクジェットプリンターを用いて印刷することを含む、情報担体に情報を付与する方法である。
【００１１】
さらに、本発明は、磁性ボード及び本発明に従い情報が付与されたプラスチック箔からなるアセンブリーに関する。
【発明を実施するための最良の形態】
【００１２】
本発明に従うプラスチック箔は、原理的には、金属粒子を内部に配合することができる任意のプラスチック物質から製造することができる。好ましくは、しかし、PVC又はポリエステルが使用される。該物質は、シルクスクリーン用途では評価が確立されている。それらは、実用的な使用において、強く、輸送可能であり、及び、受容できる質で長期に亘って連続的に情報を再生することができる。
【００１３】
好ましくは、金属粒子は鉄粒子であるが、他の物質、例えば鉄合金等の、磁性作用により磁性壁に付くことができる物を使用することができる。
【００１４】
本発明において使用するのに非常に適しているのは、プラスチックベースの箔、例えばPVS又はポリエステルであって、鉄粒子を内部に有する、軟らかくされたPVCの層が上に施与されているものである。このような箔は、例えば「IJzerfolie AZL」又は「Ferrofoil ALA」としてF.I.S. B.V.、Oss、オランダ国、から市販されている。
【００１５】
なお、本発明に従い、金属壁に付けることを可能とする磁性粒子を有するプラスチック箔を提供することも可能である。
【００１６】
プラスチック箔には、本発明に従い、紙の薄い層が付与される。プラスチック箔がプラスチック積層体からなる場合には、紙の層は、好ましくは金属粒子を含む層から最も遠くに隔たった側に施与される。紙のタイプは、本発明に従い、好適なプリンターにより印刷可能である限り、特に重要ではない。好ましくは、使用すべき紙は薄く、好ましくは100μm未満、より好ましくは60μm未満の厚さを有する。厚さは最小で30μmであり、これより薄くなると、プラスチック基材上に紙を施与する際に多くの問題が生じる。斯かる厚さの紙は、箔の特性によく耐え、従って、平滑で損傷の無い状態で箔上に存在し続ける。例えば、白の、木質フリーの紙（wood-free paper、40〜80ｇ）を使用することができる。
【００１７】
箔と紙層は、双方の基材に相溶性であり且つ使用条件下で接着力を維持する接着剤を用いて互いに貼り合わせることができる。このような接着剤を、本明細書において、恒久的な接着剤という。接着剤は、良好な耐熱性、好ましくは100℃及びさらに高い温度まで、を有し、約−10℃までの凍結温度以下の温度での性能も良い。本発明に従う好ましい箔について使用するのに非常に適する接着剤は、恒久的アクリルベース接着剤、例えば、Raflatac、フィンランド国から市販されているPermanent RPA4である。
【００１８】
箔と紙とは、何らかの好適な方法により貼り合わせることができる。例えば、最初に紙または箔の上に接着剤層を積層し、その上に、箔又は紙を積層することができる。また、接着剤層が間にスプレーされた状態で、コーティングすることも可能である。
【００１９】
さらに、該恒久的接着層は、紙との接着を起こすような箔の表面処理からなることができる。
【００２０】
本発明に従う好ましい箔で使用するための好適な紙は、クラフトスペシャル 70、67ｇの白い、木質フリーの紙又はクラフトスペシャル55であって、それらの上にアクリル性接着剤を付されたものである。コート紙、例えばJetcolor 又は Jetgloss、を使用した場合にも良い結果が得られ、これらのタイプの紙は、インクジェット用途要に特に開発されたものであり、Raflatac、フィンランド国から入手可能である。
【００２１】
本発明に従う方法において使用される、本発明に従う情報担体の厚さは、使用するプリンターに適合させるべきである。換言すれば、情報担体は問題無くプリンターを通過することが可能でなければならない。本発明で使用する可撓性のプラスチック箔については、情報担体全体で、１mmより厚くなく、及び、好ましくは0.5mmより厚くなければ、概してこの事は可能である。
【００２２】
本発明の製品は本発明に従う方法で印刷された後に、原理的には、即使用できるが、情報が付与された後に印刷面に透明な保護層を付与することが有利である場合がある。本発明を以下の非限定的な実施例で説明する。
【実施例１】
【００２３】
A４サイズに切り出した、鉄を含む箔（IJzerfolie AZL、F.I.S. B.V.）であって、厚さ0.35mmのもの、の上にクラフトスペシャル55の層を、接着剤RP44を用いて貼り付けた。このようにして得られた情報担体には、HP カラープリンターを用いて、良質のカラープリントを行うことができた。
【国際公開パンフレット】
2004531409.tif 000002
2004531409.tif 000003
2004531409.tif 000004
2004531409.tif 000005
2004531409.tif 000006
2004531409.tif 000007
2004531409.tif 000008
【国際調査報告】
2004531409.tif 000009
2004531409.tif 000010